(57)【特許請求の範囲】
【請求項１】
内燃機関のシリンダヘッドと吸気マニホルドとの間にスワール・コントロール・バルブユニットを介設し、該スワール・コントロール・バルブユニットと吸気マニホルドとを共締めによって前記シリンダヘッドに取り付ける際に使用する第１ボス部を前記スワール・コントロール・バルブユニットに複数設け、該第１ボス部を前記スワール・コントロール・バルブユニット内に１気筒当たりで２本形成された吸気ポートの長手方向に沿って設けた燃料噴射装置の取付構造において、前記スワール・コントロール・バルブユニットに燃料霧化を促進する補助空気を供給する補助空気通路を形成する第２ボス部を設け、該第２ボス部を前記スワール・コントロール・バルブユニットに形成された前記吸気ポートの並び方向に沿って配設し、該第２ボス部と前記複数の第１ボス部とを前記スワール・コントロール・バルブユニットの上面で交差させて配置し、前記スワール・コントロール・バルブユニットの上面にインジェクタの一端側を取り付ける第３ボス部と前記インジェクタの他端側に配設されるデリバリパイプを取り付ける第４ボスとを設け、隣接する前記第１ボス部の間に前記第３ボス部と第４ボス部とを交互に配設し、前記第１、第２、第３及び第４ボス部を前記スワール・コントロール・バルブユニットの上面に集中配置し、前記デリバリパイプを前記スワール・コントロール・バルブユニットに取り付けたことを特徴とする燃料噴射装置の取付構造。
【請求項２】
前記複数の第１ボス部と第２ボス部とで囲まれる部位に前記第３ボス部と前記第４ボス部とを交互に配設したことを特徴とする請求項１に記載の燃料噴射装置の取付構造。
【発明の詳細な説明】
【０００１】
【発明の属する技術分野】
この発明は燃料噴射装置の取付構造に係り、特にインジェクタの燃料噴霧口を燃焼室に接近させて配設することができ、始動性や燃焼安全性等の性能が悪化する惧れが全くないとともに、インジェクタの後端側に配設したデリバリパイプをスワール・コントロール・バルブユニットに取り付けて取付精度を向上し得る燃料噴射装置の取付構造に関する。
【０００２】
【従来の技術】
内燃機関、特に自動車用リーンバーン（直噴）型の内燃機関においては、シリンダヘッドと吸気マニホルド間にスワール・コントロール・バルブ（「ＳＣＶ」ともいう）ユニットを介設したものがある。なお、リーンバーンとは、理論空燃比よりも希薄な空燃比で運転する方式を示す。
【０００３】
また、前記内燃機関にインジェクタの一端側を取り付けて設けるとともに、このインジェクタの他端側にデリバリパイプを配設した際に、デリバリパイプを補助して燃料霧化を促進するために、インジェクタに補助空気を供給する補助空気通路を設けている。
【０００４】
前記燃料噴射装置の取付構造としては、特開平７−５４７２４号公報に開示されるものがある。この公報に開示される個々のシリンダの円弧状吸気管を備えた内燃機関のための吸気管装置は、個々のシリンダの円弧状吸気管を備えたシリンダヘッドを有する内燃機関のための吸気管装置であって、吸気管は、シリンダヘッドの引き続く吸気口に送り出す燃料噴射弁を包み込んでおり、燃料噴射弁のシリンダヘッド側の端部範囲が受容部に突出している吸気管装置において、噴射弁の他方の端部範囲が受容部に対し同軸の凹部により円弧状吸気管の壁範囲に受け入れられており、所要面積を減少させている。
【０００５】
また、特開平７−２２４６２６号公報に開示されるものがある。この公報に開示されるエンジンの制御装置は、単一の気筒に対して設けられるプライマリ吸気ポート及びセカンダリ吸気ポートと、両吸気ポートを連通する内部ＥＧＲ用の連通路と、全負荷域より低負荷側においては少なくとも理論空燃比よりも希薄な空燃比で運転するリーンバーン手段とを備えたエンジンの制御装置であって、空燃比がリーンの全負荷域より低負荷側では少なくともセカンダリ吸気ポートの吸気弁の開弁時期を排気弁の開弁時期とオーバラップさせるとともに、セカンダリ吸気ポートの吸気弁がプライマリ吸気ポートの吸気弁に対して早開き、且つ早閉じに制御する制御手段を備え、筒内流動を強化し、成層燃焼を図って、リーンバーンを達成している。
【０００６】
更に、特開平７−２２９４２４号公報に開示されるものがある。この公報に開示されるエンジンの吸気制御装置は、複数の吸気弁開口に連なる吸気通路内に吸気通路面積を可変制御する吸気制御弁を備えたエンジンの吸気制御装置において、吸気通路を隔壁により一部の吸気弁開口に連なる第２通路と残りの吸気弁開口に連なる第１通路とに画成し、第２通路を低吸入空気量時に全閉し、高吸入空気量時に全開する第２制御弁を設け、第１通路を低吸入空気量時に第１通路の天壁又は外側壁側の一部のみが開いた状態に閉じ、高吸入空気量時に全開する第１制御弁を設け、吸気抵抗を増大することなくタンブル、又はスワールをより確実に発生させている。
【０００７】
更にまた、実開平４−２４６２９号公報に開示されるものがある。この公報に開示される内燃機関の吸気装置は、内燃機関の吸気ポートに通じる各吸気通路を吸気流方向に延びる隔壁で二分割し、分割された吸気通路の一方を、吸気流が燃焼室内にスワールを生成する形状のスワールポートに導き、他方の吸気通路をストレート形状の吸気ポートに導くとともに、機関低負荷運転時にストレート形状の吸気ポート側の吸気通路を閉鎖する吸気制御弁と、吸気制御弁下流側の吸気通路に夫々開口し、スワールポートとストレートポートとを夫々指向する噴射口を有する燃料噴射弁とを設けた内燃機関において、吸気制御弁が全閉時にもストレートポート径の約１／３に相当する有効径の断面積を有する空気流路を通じてストレートポート側吸気通路からも気筒内に空気を供給するようにしている。
【０００８】
また、スワール・コントロール・バルブ（「ＳＣＶ」ともいう）ユニットを開示するものとしては、特開昭５５−１２２６０号公報や特開昭５５−１４９３７号公報、特開昭５８−６５９６１号公報がある。
【０００９】
【発明が解決しようとする課題】
ところで、従来の燃料噴射装置の取付構造において、例えば補助空気通路がなく、シリンダヘッドと吸気マニホルドとの接続部位にインジェクタを取り付けた状態のものにおいては、図９に示す如く、内燃機関２０２のシリンダヘッド２０６に吸気マニホルド２１６を装着し、シリンダヘッド２０６内の吸気ポート２０６−１に吸気マニホルド２１６内の吸気マニホルド通路２１６−１を連通させて吸気通路２１８を形成している。
【００１０】
そして、前記吸気マニホルド２１６の下流側において、クッション機能を有するシール材３３２を介してインジェクタ２３２の一端側たる先端側を取り付けるとともに、このインジェクタ２３２の他端側たる後端側をデリバリパイプ２６４で押さえ、ブラケット３４２を介して前記吸気マニホルド２１６の固定用突出部３４４に前記デリバリパイプ２６４を固定している。
【００１１】
このとき、リーンバーン（直噴）型の内燃機関の場合には、シリンダヘッド２０６と吸気マニホルド２１６間にスワール・コントロール・バルブ（「ＳＣＶ」ともいう）ユニットが配設されることとなる。
【００１２】
しかし、前記インジェクタを吸気マニホルドに固定していることにより、シリンダヘッドと吸気マニホルド間にスワール・コントロール・バルブユニットを配設することによって、燃焼室からインジェクタの燃料噴霧口が離間することとなり、始動性や燃焼安全性等の性能が悪化する惧れがあるという不都合がある。
【００１３】
【課題を解決するための手段】
そこで、この発明は、上述不都合を除去するために、内燃機関のシリンダヘッドと吸気マニホルドとの間にスワール・コントロール・バルブユニットを介設し、該スワール・コントロール・バルブユニットと吸気マニホルドとを共締めによって前記シリンダヘッドに取り付ける際に使用する第１ボス部を前記スワール・コントロール・バルブユニットに複数設け、該第１ボス部を前記スワール・コントロール・バルブユニット内に１気筒当たりで２本形成された吸気ポートの長手方向に沿って設けた燃料噴射装置の取付構造において、前記スワール・コントロール・バルブユニットに燃料霧化を促進する補助空気を供給する補助空気通路を形成する第２ボス部を設け、該第２ボス部を前記スワール・コントロール・バルブユニットに形成された前記吸気ポートの並び方向に沿って配設し、該第２ボス部と前記複数の第１ボス部とを前記スワール・コントロール・バルブユニットの上面で交差させて配置し、前記スワール・コントロール・バルブユニットの上面にインジェクタの一端側を取り付ける第３ボス部と前記インジェクタの他端側に配設されるデリバリパイプを取り付ける第４ボスとを設け、隣接する前記第１ボス部の間に前記第３ボス部と第４ボス部とを交互に配設し、前記第１、第２、第３及び第４ボス部を前記スワール・コントロール・バルブユニットの上面に集中配置し、前記デリバリパイプを前記スワール・コントロール・バルブユニットに取り付けたことを特徴とする。
【００１４】
【発明の実施の形態】
上述の如く構成したことにより、内燃機関のシリンダヘッドと吸気マニホルド間に介設されるスワール・コントロール・バルブユニットにインジェクタを配設する際には、スワール・コントロール・バルブユニットにインジェクタの一端側を取り付けるとともに、インジェクタの他端側にデリバリパイプを配設し、デリバリパイプをスワール・コントロール・バルブユニットに取り付け、インジェクタの燃料噴霧口を燃焼室に接近させて始動性や燃焼安全性等の性能が悪化する惧れが全くないとともに、スワール・コントロール・バルブユニットにインジェクタとデリバリパイプとを夫々取り付けて取付精度を向上させ、しかもスワール・コントロール・バルブユニットのサブアッセンブリ化を可能とし、組付性を向上させている。
【００１５】
【実施例】
以下図面に基づいてこの発明の実施例を詳細に説明する。
【００１６】
図１〜図４はこの発明の実施例を示すものである。
【００１７】
図２において、２はリーンバーン（直噴）型の内燃機関、４はシリンダブロック、６はシリンダヘッド、８はシリンダヘッドカバー、１０は燃焼室、１２は吸気弁、１４は排気弁、１６は吸気マニホルド、１８は吸気通路、２０はスロットルバルブ、２２はエアクリーナ、２４は排気マニホルド、２６は排気通路、２８は排気管、３０は触媒体である。
【００１８】
前記吸気通路１８の下流側端部に、燃焼室１０側に指向させてインジェクタ３２を設ける。なお、図２におけるインジェクタ３２部分の構造は概略的な表示であり、詳細は後述の図１及び図３、図４によって説明する。
【００１９】
そして、前記スロットルバルブ２０よりも下流側の吸気通路１８に圧力検出通路３４の一端側を連絡して設け、この圧力検出通路３４の他端側には、吸気管圧力を検出する圧力センサ３６が設けられている。
【００２０】
また、前記内燃機関２には、排気ガスの一部を内燃機関２の吸気系に還流させる排気ガス再循環装置（ＥＧＲ装置）３８が設けられている。
【００２１】
この排気ガス再循環装置３８は、排気ガスの一部を内燃機関２の燃焼室１０内に再循環させて燃焼温度を低下し、Ｎｏｘの発生量を低減するものであり、内燃機関２の運転性を確保するために、内燃機関２が冷機時、スロットルバルブ２０が全閉時、内燃機関２の高負荷運転時、吸気管圧力が低い時には、非作動となるものである。
【００２２】
前記排気ガス再循環装置３８は、ＥＧＲ通路４０とＥＧＲ制御弁４２とＥＧＲソレノイド弁（「ＥＧＲ用ＶＳＶ」ともいう）４４とを有している。ＥＧＲ通路４０は、一端側が排気通路２６に開口するＥＧＲ取入口４６に連絡するとともに、他端側がスロットルバルブ２０下流側の吸気通路１８に開口するＥＧＲ還流口４８に開口している。ＥＧＲ制御弁４２は、吸気マニホルド１６に付設され、バルブ用弁体５０によってＥＧＲ通路４０を開閉して排気ガスの還流量を調整するものである。
【００２３】
ＥＧＲ制御弁４２は、吸気マニホルド１６下流側に一体形成される負圧室５２に圧力通路５４によって連絡し、この圧力通路５４からの圧力（負圧）が作用することによってバルブ用ダイヤフラム（図示せず）が変位し、このバルブ用ダイヤフラムに固定された前記バルブ用弁体５０の動作によってＥＧＲ通路４０を開閉する。負圧室５２は、スロットルバルブ２０よりも下流側の吸気通路１８に連絡通路５６によって連絡するとともに、連絡通路５６途中には負圧室５２への負圧の作用のみを許容する１ウェイバルブ５８を配設する。
【００２４】
ＥＧＲソレノイド弁４４には、図示しない制御手段が連絡している。また、この制御手段には、前記インジェクタ３２と、圧力センサ３６と、排気マニホルド２４に設けた排気センサ６０と、スロットルバルブ２０の開度を検出するスロットルセンサ６２とが連絡している。
【００２５】
また、前記制御手段には図示しないメインリレーが連絡し、このメインリレーには、イグニションスイッチ（図示せず）とフューズ（図示せず）とバッテリ（図示せず）とが連絡している。
【００２６】
前記インジェクタ３２の他端側たる後端側に、デリバリパイプ６４を介して、燃料供給通路６６の一端側が連絡されている。この燃料供給通路６６の他端側は、オイルポンプ６８に連絡されている。このオイルポンプ６８は、燃料タンク７０内に設置されている。燃料供給通路６６途中且つ燃料タンク７０内には、燃料フィルタ７２が設けられている。
【００２７】
更に、この燃料供給通路６６途中且つ燃料タンク７０内には、燃料圧レギュレータ７４が設けられている。
【００２８】
燃料タンク７０には、パージ通路７６の一端側が連絡している。このパージ通路７６の他端側には、キャニスタ７８が設けられている。パージ通路７６には、２ウェイバルブ８０が設けられている。
【００２９】
また、キャニスタ７８には、エバポ通路８２の一端側が連絡している。このエバポ通路８２の他端側は、吸気通路１８、つまりスロットルボディ８４に連絡している。
【００３０】
そして、エバポ通路８２途中には、パージバルブ８６が設けられている。
【００３１】
なお符号１６Ｓは前記吸気マニホルド１６の上流側に形成されるサージタンク、８８はこのサージタンク１６Ｓと図示しないブリーザ室とを連絡する連絡通路、９０は連絡通路８８途中に設けられるＰＣＶバルブである。
【００３２】
前記シリンダヘッドカバー８にブリーザ通路９２の一端を連絡して設けるとともに、このブリーザ通路９２の他端を前記エアクリーナ２２よりも下流側の吸気通路１８に連絡して設ける。
【００３３】
そして、前記インジェクタ３２の図示しない補助空気通路に一端が連絡するとともに、他端が前記スロットルバルブ２０よりも上流側の吸気通路１８に連絡する補助通路９４を設け、この補助通路９４途中にデューティソレノイド弁（「デューティ用ＶＳＶ」ともいう）９６を設ける。
【００３４】
また、前記インジェクタ３２直上流側の吸気通路１８にスワール・コントロール・バルブ（「ＳＣＶ」ともいう）９８を設け、このスワール・コントロール・バルブ９８をＳＣＶ用アクチュエータ１００に連絡して設け、ＳＣＶ用アクチュエータ１００の図示しない圧力室と前記圧力通路５４途中とを連絡する分岐圧力通路１０２を設け、この分岐圧力通路１０２途中にはＳＣＶ用ソレノイド弁（「ＳＣＶ用ＶＳＶ」ともいう）１０４を設ける。
【００３５】
次に、前記インジェクタ３２部分の詳細を説明する。
【００３６】
前記内燃機関２は、図１に示す如く、シリンダヘッド６と吸気マニホルド１６間にスワール・コントロール・バルブユニット（「ＳＣＶユニット」ともいう）１０６を介設している。
【００３７】
このとき、前記スワール・コントロール・バルブユニット１０６にインジェクタ３２の一端側たる先端側を取り付けて設けるとともに、このインジェクタ３２の他端側たる後端側にデリバリパイプ６４を配設し、デリバリパイプ６４を前記スワール・コントロール・バルブユニット１０６に取り付けて設ける構成とする。
【００３８】
詳述すれば、デリバリパイプ６４は、図１に示す如く、インジェクタ３２の後端側に配設した際に、ブラケット１０８を介して前記スワール・コントロール・バルブユニット１０６上面のデリバリパイプ６４の後述する取付用第４ボス部１２０にボルト１１０によって固定される。
【００３９】
また、前記スワール・コントロール・バルブユニット１０６には、図４に示す如く、デリバリパイプ６４を補助して燃料霧化を促進する補助空気を供給する補助空気通路１１２を一体的に設けている。
【００４０】
更に、前記スワール・コントロール・バルブユニット１０６には、図３に示す如く、シリンダヘッド６に吸気マニホルド１６と共に共締めによって取り付ける際に使用する第１ボス部１１４と補助空気通路１１２を形成する第２ボス部１１６とを格子状に配設し、この格子間スペースＳにインジェクタ３２の取付用第３ボス部１１８とデリバリパイプ６４の取付用第４ボス部１２０とを交互に配設し、第１〜第４ボス部１１４、１１６、１１８、１２０を前記スワール・コントロール・バルブユニット１０６上面に集中配置する。
【００４１】
そして、前記スワール・コントロール・バルブユニット１０６内には、図３に示す如く、１気筒当たり２本の吸気ポート１２２、１２４が形成されている。このとき、基本的には、一方の吸気ポート１２２は、スワール・コントロール・バルブ９８を配設した断面円形状のポートであり、他方の吸気ポート１２４は、断面楕円形や断面長楕円形を含む断面長円形状のポートであるが、夫々の吸気ポート１２２、１２４には、上方に膨出するポート膨出部１２６、１２８を形成している。
【００４２】
前記インジェクタ３２をスワール・コントロール・バルブユニット１０６に配設する際には、図３に示す如く、２つの吸気ポート１２２、１２４の上方に膨出させたポート膨出部１２６、１２８の双方に夫々臨むように配設されるとともに、スワール・コントロール・バルブ９８よりも下流側を臨んでいる。
【００４３】
しかも、前記インジェクタ３２は、図４に示す如く、先端側からＯリング１３０とクッション機能を有するシール材１３２とを使用して、スワール・コントロール・バルブユニット１０６に配設され、Ｏリング１３０とシール材１３２間に補助空気チャンバ１３４を形成している。
【００４４】
この補助空気チャンバ１３４には、スワール・コントロール・バルブユニット１０６にドリル加工によって形成され且つ前記補助空気通路１１２に連通する内部通路１３６が連絡している。
【００４５】
また、前記スワール・コントロール・バルブユニット１０６内の補助空気通路１１２は、正圧による霧化促進を果たすために、図３に示す如く、前記スロットルバルブ２０よりも上流側の吸気通路１８に、補助通路９４を形成する配管１３８によって連通するとともに、この補助通路９４途中にデューティソレノイド弁９６が介設されている。
【００４６】
なお、符号１４０は、前記スワール・コントロール・バルブユニット１０６をシリンダヘッド６へ取り付けるための、スワール・コントロール・バルブユニット１０６のシリンダヘッド取付面である。
【００４７】
次に作用を説明する。
【００４８】
前記内燃機関２のシリンダヘッド６と吸気マニホルド１６間に介設されるスワール・コントロール・バルブユニット１０６に前記インジェクタ３２を配設する際には、２つの吸気ポート１２２、１２４の上方に膨出させたポート膨出部１２６、１２８の双方に夫々臨むように、且つスワール・コントロール・バルブ９８よりも下流側を臨むように、インジェクタ３２を配設している。
【００４９】
そしてこのとき、前記インジェクタ３２の後端側にデリバリパイプ６４を配設するとともに、ブラケット１０８を介してデリバリパイプ６４を前記スワール・コントロール・バルブユニット１０６上面の取付用第４ボス部１２０にボルト１１０によって固定している。
【００５０】
これにより、前記インジェクタ３２の先端側がスワール・コントロール・バルブユニット１０６に装着されることによって、インジェクタ３２の燃料噴霧口を燃焼室１０に接近させて配設することができ、始動性や燃焼安全性等の性能が悪化する惧れが全くなく、実用上有利である。
【００５１】
また、前記インジェクタ３２の後端側に配設したデリバリパイプ６４を、ブラケット１０８を介して前記スワール・コントロール・バルブユニット１０６上面の取付用第４ボス部１２０にボルト１１０によって固定したことにより、スワール・コントロール・バルブユニット１０６にインジェクタ３２とデリバリパイプ６４とを夫々取り付けることができ、取付精度を向上させることができるとともに、スワール・コントロール・バルブユニット１０６のサブアッセンブリ化が可能となり、組付性を向上し得る。
【００５２】
更に、前記スワール・コントロール・バルブユニット１０６に補助空気通路１１２を一体的に設けたことにより、デリバリパイプ６４を補助して燃料霧化を促進する補助空気を供給することができるとともに、従来のものに比し、デリバリパイプ６４の固定位置がシリンダヘッド６側に移行し、且つ共肉で軽量高剛性を実現し、吸気マニホルド１６の支持剛性を向上させてエンジン振動に対して有利であり、しかも部品点数を削減でき、構成が簡略化して製作が容易となり、コストを低廉とし得て、経済的にも有利である。
【００５３】
更にまた、前記スワール・コントロール・バルブユニット１０６に、シリンダヘッド６に吸気マニホルド１６と共に共締めによって取り付ける際に使用する第１ボス部１１４と補助空気通路１１２を形成する第２ボス部１１６とを格子状に配設するとともに、格子間スペースＳにインジェクタ３２の取付用第３ボス部１１８とデリバリパイプ６４の取付用第４ボス部１２０とを交互に配設したことにより、第１〜第４ボス部１１４、１１６、１１８、１２０をスワール・コントロール・バルブユニット１０６上面に集中配置することができ、各第１〜第４ボス部１１４、１１６、１１８、１２０の集中配置化によって、近接による共肉化が実現でき、各第１〜第４ボス部１１４、１１６、１１８、１２０の剛性を向上させることができ、実用上有利である。
【００５４】
なお、この発明は上述実施例に限定されるものではなく、種々の応用改変が可能である。
【００５５】
例えば、この発明の実施例において、シリンダヘッド６にスワール・コントロール・バルブユニット１０６を装着する際に、シリンダヘッド６を面一状態に形成したが、図５に示す如く、シリンダヘッド６に収容凹部１５２を形成するとともに、収容凹部１５２にスワール・コントロール・バルブユニット１０６の下流側の一部を収容させる構成（ＳＧ１）とすることもできる。
【００５６】
さすれば、前記スワール・コントロール・バルブユニット１０６に装着されるインジェクタ３２をシリンダヘッド６側により一層接近させることができ、レスポンスが早くなり、インジェクタ３２のコンピュータ制御の信頼性を高まり、実用上有利である。
【００５７】
また、この発明の実施例においては、スワール・コントロール・バルブユニット１０６に、デリバリパイプ６４を補助して燃料霧化を促進する補助空気を供給する補助空気通路１１２を一体的に設ける構成としたが、図６に示す如く、前記補助空気通路１１２を、スワール・コントロール・バルブユニット１０６と別体のカバー部材１６２とによって形成する構成（ＳＧ２）とすることも可能である。
【００５８】
さすれば、前記カバー部材１６２の形状、特に内周形状によって、通路断面積の異なる補助空気通路１１２を任意に形成することができ、各仕様の内燃機関に対応可能であるとともに、補助空気通路１１２の保守・点検を容易に行うことができ、実用上有利である。
【００５９】
更に、この発明の実施例においては、スワール・コントロール・バルブユニット１０６とデリバリパイプ６４とを夫々別体に設ける構成としたが、図７及び図８に示す如く、スワール・コントロール・バルブユニット１７２に、デリバリパイプとして機能する第５ボス部１７４を設けることも可能である。
【００６０】
すなわち、前記スワール・コントロール・バルブユニット１７２を形成する際に、図８に示す如く、図示しないシリンダヘッドに吸気マニホルド（図示せず）と共に取り付ける際に使用する第１ボス部１１４と、補助空気通路１１２を形成する第２ボス部１１６とを格子状に配設し、この格子間スペースＳにサイドフィードタイプインジェクタ１７６の取付用第３ボス部１７８を配設するとともに、この第３ボス部１７８を連絡し且つデリバリパイプとして機能する前記第５ボス部１７４を前記第２ボス部１１６に対して平行に設ける。符号Ａ１、Ａ２、Ａ３、Ａ４は夫々シール材である。
【００６１】
なお、サイドフィードタイプインジェクタ１７６とは、インジェクタの端部ではなく、図７に示す如く、インジェクタ１７６の外周部位から燃料Ｆを供給する方式のものである。そして、インジェクタの固定方策としては、実施例に記載のデリバリパイプの取付用第４ボス部をインジェクタ固定用として機能させたり、あるいは公知技術の固定手段を使用することができる。
【００６２】
さすれば、前記スワール・コントロール・バルブユニット１７２に、デリバリパイプとして機能する第５ボス部１７４をも一体的に設けることができ、デリバリパイプの取付精度を考慮する必要がなく、スワール・コントロール・バルブユニットのサブアッセンブリ化が一層促進され、組付性を向上し得る。
【００６３】
【発明の効果】
以上詳細に説明した如くこの発明によれば、インジェクタの燃料噴霧口を燃焼室に接近させて配設することができ、始動性や燃焼安全性等の性能が悪化する惧れが全くなく、実用上有利である。また、スワール・コントロール・バルブユニットにインジェクタとデリバリパイプとを夫々取り付けることができ、取付精度を向上させることができるとともに、スワール・コントロール・バルブユニットのサブアッセンブリ化が可能となり、組付性を向上し得る。
【図面の簡単な説明】
【図１】この発明の実施例を示すシリンダヘッドと吸気マニホルド間にインジェクタを取り付けたスワール・コントロール・バルブユニットを介設した状態の一部切欠き断面図である。
【図２】燃料噴射装置の概略構成図である。
【図３】スワール・コントロール・バルブユニットの組付斜視図である。
【図４】インジェクタ先端部位の概略拡大断面図である。
【図５】この発明の他の第１の実施例を示すシリンダヘッドと吸気マニホルド間にインジェクタを取り付けたスワール・コントロール・バルブユニットを介設した状態の一部切欠き断面図である。
【図６】この発明の他の第２の実施例を示すインジェクタ先端部位の概略拡大断面図である。
【図７】この発明の他の第３の実施例を示すインジェクタ先端部位の概略拡大断面図である。
【図８】スワール・コントロール・バルブユニットの概略斜視図である。
【図９】この発明の従来技術を示すシリンダヘッドと吸気マニホルドとの接続部位にインジェクタを取り付けた状態の一部切欠き断面図である。
【符号の説明】
２  内燃機関
６  シリンダヘッド
１６  吸気マニホルド
１８  吸気通路
３２  インジェクタ
６４  デリバリパイプ
６６  燃料供給通路
９８  スワール・コントロール・バルブ
１００  ＳＣＶ用アクチュエータ
１０２  分岐圧力通路
１０４  ＳＣＶ用ソレノイド弁
１０６  スワール・コントロール・バルブユニット
１０８  ブラケット
１１２  補助空気通路
１１４  第１ボス部
１１６  第２ボス部
１１８  第３ボス部
１２０  第４ボス部
【図１】
0003827129.tif 000002
【図２】
0003827129.tif 000003
【図３】
0003827129.tif 000004
【図４】
0003827129.tif 000005
【図５】
0003827129.tif 000006
【図６】
0003827129.tif 000007
【図７】
0003827129.tif 000008
【図８】
0003827129.tif 000009
【図９】
0003827129.tif 000010